(57)【要約】      （修正有）【課題】導熱効果をアップすると同時に、コストを下げ、重量を減少する放熱器の改良構造を提供する。  【解決手段】放熱体２及び少なくとも一つの熱導管３で構成する。放熱器の改良構造で、該放熱体２は包覆部２１を具有し、該包覆部２１の両端はそれぞれ第一端面２２と第二端面２３を形成し、側面に複数の放熱フィン２４を具有する。該放熱体２はプラスティックの材質を用いて射出成型し、前記熱導管３は射出成型の方法により該放熱体２の内部に包覆する。該熱導管３は延伸部３２、第一端縁３１と第二端縁３３を具有し、該延伸部３２を包覆部２１に包み込み、第一端縁３１及び第二端縁３３はそれぞれ第一端面２２及び第二端面２３に設置するため、該第一端縁３１或いは第二端縁３３が直接熱源と接触する。【選択図】図４
0003153941.tif 000002
【実用新案登録請求の範囲】
【請求項１】
放熱体、熱導管を含み、
該放熱体は包覆部を具有し、該包覆部の端縁にそれぞれ第一端面と第二端面を形成し、且つ包覆部の側面に複数のフィンを形成し、及び、
少なくとも一つの熱導管を包覆部内に包みこみ、該熱導管は第一端縁及び第二端縁を具有し、それぞれ第一端面及び第二端面に設置することを特徴とする放熱器の改良構造。
【請求項２】
前記包覆部の外側に複数のフィンを形成することを特徴とする請求項1記載の放熱器の改良構造。
【請求項３】
前記包覆部の内側に複数のフィンを形成することを特徴とする請求項1記載の放熱器の改良構造。
【請求項４】
前記放熱体はプラスティック材質を用いて射出成型し、該熱導管は射出成型により該放熱体内に包覆することを特徴とする請求項1記載の放熱器の改良構造。
【請求項５】
前記熱導管の第一端縁は第一端面より露出することを特徴とする請求項1記載の放熱器の改良構造。
【請求項６】
前記熱導管の第二端縁は第二端面より露出することを特徴とする請求項1記載の放熱器の改良構造。
【請求項７】
前記熱導管の第一端縁と第二端縁の間に更に延伸部を具有し、且つ該延伸部は該放熱体の内部に包覆することを特徴とする請求項1記載の放熱器の改良構造。
【請求項８】
前記延伸部は螺旋方法を使って、それぞれ第一端縁と第二端縁に延伸することを特徴とする請求項7記載の放熱器の改良構造。
【考案の詳細な説明】
【技術分野】
【０００１】
本考案は放熱器の改良構造に関し、特にプラスティックの材質の放熱体を射出成型し、熱導管を包み込むことにより、熱導管を直接熱源に接触することで、有効的に導熱効果を上げ、且つコストと重量を減らすことのできる放熱器の改良構造に関する。
【背景技術】
【０００２】
電子情報製品(例えば：コンピューターなど)の使用率は日に日に普及し、広く応用されている。ニーズが高まるにつれ、電子情報産業の技術が迅速に発展し、電子情報の運算スピードのアップ、アクセス用量が増加するなど、前記電子情報製品に組み込まれる部品が高速運転する際に、高温が生じるようになる。
【０００３】
発光ダイオード(ＬＥＤ)は冷発光であり、電気消耗量が低く、エコ且つ部品の寿命が長く、汚染が少なく、暖機時間の必要なし、反応スピードが速く、効率が高いなどの特性を持つ。また、街灯或いは照明装置など、更に明るい光線照度が必要となる場合、通常高効率の発光ダイオードを採用し、比較的高い電流を流すことで、更に明るい光線照度を得ることができる。
【０００４】
しかし、光線照度を上げると同時に、熱エネルギーの量が増えるのは避けることができない。即座に生じた熱エネルギーを排出しなければ、発光ダイオード周囲に熱を蓄積すると発光効率を下げるほか、発光ダイオードの寿命に影響を来たす。ＬＥＤを主要光源とする電子設備が多数あるなか、普遍的に放熱効果が悪いという共同の欠点が存在するため、それらのＬＥＤを主要光源とする電子設備が過熱により焼ける、発光効率が衰えやすく、寿命が短くなる欠点をもたらす。
【０００５】
図１、２に示すのは、従来技術の放熱器の立体図及び断面図である。この図で放熱器1は主にアルミ或いは単一金属の材質で加工製造する放熱体11であり、当該放熱体11は中空の円柱体を呈し、該放熱体11の外側と内側に複数の放熱フィン12を延伸する。該放熱フィン12は放熱体11と同じ単一の金属材質とし、該放熱体11と一体成型である。該放熱体11と放熱フィン12は金属の材質で作られるため、材料コストが高く、重量も重いため、使用上比較的多くの制限がある。該放熱器1をＬＥＤモジュールに使用して放熱する際、ＬＥＤモジュールを放熱体11の片端の縁に設け、該放熱体11と放熱フィン12を通じて放熱を行う。しかし、該放熱体11と放熱フィン12が単一金属材質を使用するため、導熱率が比較的悪く、有効的にＬＥＤモジュールの熱エネルギーを伝導することができない。
【０００６】
上記をまとめると、従来技術は下記の欠点を具有する：
１．導熱効率が低い。
２．材料のコストが高い。
３．材料の重量が重い。
以上の欠点に鑑みて、更なる改善が必要であった。
【先行技術文献】
【特許文献】
【０００７】
【特許文献１】特開２００７−１５８２４２号公報
【考案の概要】
【考案が解決しようとする課題】
【０００８】
前記従来技術の欠点を解決するため、本考案の第1の目的は、プラスティック材質を用いて放熱器の内部に熱導管を設置することで、高い導熱効果を具有する放熱器の改良構造を提供することにある。
本考案の第２の目的は、材料のコストを節約する放熱器の改良構造を提供することにある。
本考案の第３の目的は、全体の重量を軽くする放熱器の改良構造を提供することにある。
【課題を解決するための手段】
【０００９】
前記課題を解決するために、本考案は放熱器の改良構造を提供するものである。該放熱器の改良構造に含まれるのは放熱体及び少なくとも一つの熱導管である。前記放熱体は包覆部を具有し、該包覆部の両端縁にそれぞれ第一端縁と第二端縁を形成し、該第一端縁と第二端縁間の側面に複数の放熱フィンを具有する。前記熱導管を包覆部内に包み、熱導管は延伸部、第一端縁、第二端縁を具有する。該延伸部を包覆部内に包み、該第一端縁及び第二端縁はそれぞれ第一端面と第二端面に設置する。該放熱体はプラスティック材質を使って射出成型し、前記熱導管を該放熱体内に包覆する。このように本考案の放熱体が熱導管を包覆するデザインにより、高い導熱効率を具有するだけでなく、全体の重さを減量し、コストを節約することができる。
【００１０】
すなわち、請求項１の考案は、放熱体、熱導管を含み、該放熱体は包覆部を具有し、該包覆部の端縁にそれぞれ第一端面と第二端面を形成し、且つ包覆部の側面に複数のフィンを形成し、及び、少なくとも一つの熱導管を包覆部内に包みこみ、該熱導管は第一端縁及び第二端縁を具有し、それぞれ第一端面及び第二端面に設置することを特徴とする放熱器の改良構造である。
【００１１】
請求項２の考案は、前記包覆部の外側に複数のフィンを形成することを特徴とする請求項１記載の放熱器の改良構造である。
請求項３の考案は、前記包覆部の内側に複数のフィンを形成することを特徴とする請求項１記載の放熱器の改良構造である。
請求項４の考案は、前記放熱体はプラスティック材質を用いて射出成型し、該熱導管は射出成型により該放熱体内に包覆することを特徴とする請求項１記載の放熱器の改良構造である。
請求項５の考案は、前記熱導管の第一端縁は第一端面より露出することを特徴とする請求項１記載の放熱器の改良構造である。
請求項６の考案は、前記熱導管の第二端縁は第二端面より露出することを特徴とする請求項１記載の放熱器の改良構造である。
【００１２】
請求項７の考案は、前記熱導管の第一端縁と第二端縁の間に更に延伸部を具有し、且つ該延伸部は該放熱体の内部に包覆することを特徴とする請求項１記載の放熱器の改良構造である。
請求項８の考案は、前記延伸部は螺旋方法を使って、それぞれ第一端縁と第二端縁に延伸することを特徴とする請求項７記載の放熱器の改良構造である。
【考案の効果】
【００１３】
本考案はプラスティックの材質の放熱体を射出成型し、内側に熱導管を包み込むように設置することで、熱導管の端縁が直接熱源に接触し、有効的に導熱効果を上げ、且つコストと重量を減らすことができる。
【図面の簡単な説明】
【００１４】
【図１】従来技術における放熱器の立体図である。
【図２】従来技術における放熱器の断面図である。
【図３】本考案における放熱器の立体図である。
【図４】本考案における放熱器の断面図である。
【図５】本考案における放熱器の実施略図である。
【図６】本考案における放熱器の実施略図の断面図である。
【図７】本考案における放熱器の実施略図の側面図である。
【考案を実施するための形態】
【００１５】
本考案による実施例の放熱器の改良構造を明確に示すために図に沿って詳細な説明を行う。
【００１６】
図３及び図４に示すのは、本考案の実施例の放熱器改良構造である。
本考案は放熱体2及び熱導管3を含み、該放熱体2はプラスティックの材質を用いて射出成型しているため、外形はニーズに基づき様々な形状にすることができる。本実施例では該放熱体2を中空状の円柱体に形成し、主に包覆部21を具有する。該包覆部21の両端にそれぞれ平面状の第一端面22と第二端面23を具有し、該包覆部21は第一端面22と第二端面23間の内外両側にプラスティックの材質を用いて射出形成する複数のフィン24を形成する。該熱導管3はプラスティック材料の射出成型の方法を通じて、放熱体2の内側に包覆して設置する。当該熱導管3は第一端縁31と延伸部32、第二端縁33を具有し、該延伸部32は第一端縁31と第二端縁33の間に設置する。
【００１７】
本実施例では、熱導管3の延伸部32は螺旋方法でそれぞれ第一端縁31と第二端縁33の間を延伸し、該第一端縁31と第二端縁33はそれぞれ前記放熱体2の第一端面22及び第二端面23に設置し、各端面から露出する。また、前記放熱体2はプラスティック材質を用いて射出成型し、熱導管3は銅金属材質を用いる。つまり該放熱体2の材質の溶解温度が熱導管3の材質の溶解温度より低いものを選べば、放熱体2を熱導管3の外に包覆することができる。本実施例では、該放熱体2はプラスティック材質で実施するが、それによって制限することはない。
【００１８】
図５、図６、図７に示すように、該放熱体2はＬＥＤモジュール4と接続することができる。該ＬＥＤモジュール4を第一端面22或いは第二端面23のうち一つに設置することができ、本実施例では該ＬＥＤモジュール4を第二端面23に設置して附着する。該熱導管3の第二端縁33は第二端面23より露出し、該第二端面23は同時にＬＥＤモジュール4に貼り付けて附着する。該ＬＥＤモジュール4が熱を発生する際、熱導管3の第二端縁33を通じて直接熱を吸収してから、延伸部32を通じて第一端縁31に熱を送る。
【００１９】
また、該放熱体2は該第一端縁31、延伸部32及び第二端縁33を包覆するため、該第二端縁33が熱を吸収し、延伸部32と第一端縁31に迅速に伝え、放熱体2を通じて放熱することができることで、高い導熱効果に達する。また、該放熱体2はプラスティック材質を用いて射出成型し、該熱導管3は射出成型により該放熱体2内に包覆するため、該熱導管3が吸収する熱を更に有効的に排出することができ、且つ同時に全体の重さを減量し、材料コストを節約することができる。  
【００２０】
本考案の放熱器改良構造に具有するメリットは下記の通りである：
１．導熱効率が高い。
２．材料のコストを下げる。
３．重さを軽くする。
【００２１】
なお、本考案の特徴及び技術内容を説明するために、実施例の説明及び図を添付したが、それらは参考及び説明のためであり、本考案の範囲を制限するものではない。また、当業者が、本考案の範囲内にて行う変更や調整を行っても、本考案の重要な意義は失われず、本考案の範囲に含まれる。
【符号の説明】
【００２２】
2  放熱体
21 包覆部
22 第一端面
23 第二端面
24 フィン
3  熱導管
31 第一端縁
32 延伸部
33 第二端縁
4  ＬＥＤモジュール
【図１】
0003153941.tif 000003
【図２】
0003153941.tif 000004
【図３】
0003153941.tif 000005
【図４】
0003153941.tif 000006
【図５】
0003153941.tif 000007
【図６】
0003153941.tif 000008
【図７】
0003153941.tif 000009